(57)【特許請求の範囲】
【請求項１】
楽音生成に関する複数のパラメータの設定値により動作が制御される電子音楽装置であって、
前記複数のパラメータのそれぞれのオリジナルの値を記憶する記憶手段と、
前記複数のパラメータのうちの割り当てられたパラメータの値を変更するための複数の操作子と、
前記操作子の第１の操作に応じて、該操作子に対応するパラメータの設定値を変更する設定値変更手段と、
前記パラメータの現在の設定値と前記オリジナルの値とを併記して、複数のパラメータ間で切り替えて１つの表示器に表示する表示手段と、
前記表示手段にパラメータの現在の設定値とオリジナルの値とが表示されている状態で前記操作子の第２の操作を行うことで、当該オリジナルの値を当該パラメータの設定値として設定する手段とを備え、
前記操作子の操作を検知したとき、その操作子に対応するパラメータの現在の設定値と前記オリジナルの値とを、前記表示手段により表示開始する
ことを特徴とする電子音楽装置。
【請求項２】
請求項１に記載の電子音楽装置において、
前記記憶手段は、さらに前記複数の操作子に割り当てるパラメータの組み合わせを示す割り当て情報を複数記憶し、
前記割り当て情報を切り替えることで、前記複数の操作子に割り当てるパラメータの組み合わせを切り替える手段と
を備えることを特徴とする電子音楽装置。
【請求項３】
請求項１または２に記載の電子音楽装置において、
表示時間を設定する手段と、
前記表示手段による表示開始から前記設定された表示時間が経過したら、その表示を消去し、該表示が表示される前の画面を前記表示手段に表示する手段と
を、さらに備えることを特徴とする電子音楽装置。
【請求項４】
請求項３に記載の電子音楽装置において、
前記オリジナルの値を現在の設定値として設定したのち、前記表示手段にパラメータの現在の設定値とオリジナルの値とが表示されている状態で、前記操作子の第２の操作を行うことで、前記オリジナルの値を現在の設定値として設定する直前の設定値を、当該パラメータの設定値に戻す手段を、さらに備えることを特徴とする電子音楽装置。
【請求項５】
楽音生成に関する複数のパラメータの設定値により動作が制御される電子音楽装置を実現するプログラムであって、
コンピュータを、
前記複数のパラメータのそれぞれのオリジナルの値を記憶する記憶手段と、
前記複数のパラメータのうちの割り当てられたパラメータの値を変更するための複数の操作子と、
前記操作子の第１の操作に応じて、該操作子に対応するパラメータの設定値を変更する設定値変更手段と、
前記パラメータの現在の設定値と前記オリジナルの値とを併記して、複数のパラメータ間で切り替えて１つの表示器に表示する表示手段と、
前記表示手段にパラメータの現在の設定値とオリジナルの値とが表示されている状態で前記操作子の第２の操作を行うことで、当該オリジナルの値を当該パラメータの設定値として設定する手段とを備え、
前記操作子の操作を検知したとき、その操作子に対応するパラメータの現在の設定値と前記オリジナルの値とを、前記表示手段により表示開始する
電子音楽装置として機能させることを特徴とするプログラム。
【発明の詳細な説明】
【技術分野】
【０００１】
この発明は、電子音楽装置における各種のパラメータ値の設定変更時の表示等の技術に関する。
【背景技術】
【０００２】
電子楽器や音響機器などの各種の電子音楽装置では、ユーザが各種のパラメータ値の設定を行い、該パラメータ値により動作を制御するものが多い。例えば、下記非特許文献１には、外部パネル上に設けられているノブなどの操作子に、楽音の音色を規定するパラメータを割り当て、該操作子を操作することで割り当てられたパラメータ値を設定変更する電子楽器が開示されている。パラメータ値の設定変更の際には、外部パネル上に設けられているディスプレイに、設定変更中のパラメータ値が表示される。
【非特許文献１】「MOTIF XS 6/MOTIF XS 7/MOTIF XS 8取扱説明書」、ヤマハ株式会社、2007年、p26
【発明の開示】
【発明が解決しようとする課題】
【０００３】
上述したような従来の電子音楽装置におけるパラメータ値の設定方式では、設定しようとするパラメータ値についてはディスプレイで確認できるものの、そのパラメータのオリジナルの値（当該装置が想定している当該パラメータの標準的な値であり、いわゆるデフォルト値）についてはユーザに知らせてはいなかった。従って、ユーザは、オリジナルの値を参考にしながらパラメータ設定をすることができなかった。また、従来の電子音楽装置においては、複数のパラメータを一括してデフォルト値に戻す機能が知られているが、この機能では、パラメータ値を元に戻そうとすると他のパラメータも含めて一括して再読み込みをしなければならず、１つの所望のパラメータのみをオリジナルの値に戻すことはできなかった。
【０００４】
本発明は、電子音楽装置において、ユーザが各パラメータの値を設定変更する際に、そのオリジナルの値を参考にすることができ、また容易にオリジナルの値に戻すことができるようにすることを目的とする。
【課題を解決するための手段】
【０００５】
上記の目的を達成するため、請求項１に係る発明は、楽音生成に関する複数のパラメータの設定値により動作が制御される電子音楽装置であって、前記複数のパラメータのそれぞれのオリジナルの値を記憶する記憶手段と、前記複数のパラメータのうちの割り当てられたパラメータの値を変更するための複数の操作子と、前記操作子の第１の操作に応じて、該操作子に対応するパラメータの設定値を変更する設定値変更手段と、前記パラメータの現在の設定値と前記オリジナルの値とを併記して、複数のパラメータ間で切り替えて１つの表示器に表示する表示手段と、前記表示手段にパラメータの現在の設定値とオリジナルの値とが表示されている状態で前記操作子の第２の操作を行うことで、当該オリジナルの値を当該パラメータの設定値として設定する手段とを備え、前記操作子の操作を検知したとき、その操作子に対応するパラメータの現在の設定値と前記オリジナルの値とを、前記表示手段により表示開始することを特徴とする。
【０００６】
前記記憶手段は、さらに前記複数の操作子に割り当てるパラメータの組み合わせを示す割り当て情報を複数記憶し、前記割り当て情報を切り替えることで、前記複数の操作子に割り当てるパラメータの組み合わせを切り替える手段とを備えるようにするとよい。また、表示時間を設定できるようにし、表示手段による表示開始から前記設定された表示時間が経過したら、その表示を消去するとよい。前記オリジナルの値を現在の設定値として設定したのち、前記表示手段にパラメータの現在の設定値とオリジナルの値とが表示されている状態で、前記操作子の第２の操作を行うことで、前記オリジナルの値を現在の設定値として設定する直前の設定値を、当該パラメータの設定値に戻すことができるようにするとよい。
【発明の効果】
【０００７】
本発明によれば、パラメータ設定変更の際、ユーザは現在値とともにオリジナルの値も参照することができるので、オリジナルの値を参考にしながら操作でき、そのオリジナルの値に容易に戻すことができるようになる。また、表示時間も指定でき、その表示時間の後には表示を消去するようにしているので、表示が邪魔にならない。さらに、オリジナルの値に設定したり、元の設定値に戻すことも容易に行える。
【発明を実施するための最良の形態】
【０００８】
以下、図面を用いてこの発明の実施の形態を説明する。
【０００９】
図１は、この発明の一実施形態に係る電子音楽装置のハードウエア構成を示すブロック図である。なお、ここでは鍵盤等の演奏操作子や音源を備えた電子楽器で説明するが、本発明は、演奏操作子を持たない音源専用装置や、演奏操作子及び音源を持たない音楽装置に適用することも可能である。
【００１０】
図１において、ＣＰＵ１０１は、この電子楽器全体の動作を制御する処理装置である。タイマ１０２は、所定の時間を計時するためのタイマである。ＲＯＭ１０３は、電源投入時のスタートアップルーチンや低レベルＩ／Ｏ処理を司るＢＩＯＳ（BASIC INPUT/OUTPUT SYSTEM）等を格納する不揮発性のメモリである。ＲＡＭ１０４は、ＣＰＵ１０１が実行するプログラムのロード領域や各種のワーク領域として用いる揮発性のメモリである。外部記憶装置１０５は、ハードディスクやフレキシブルディスク等の磁気記録媒体やＣＤ−ＲＯＭ、ＤＶＤ等の光記憶媒体等の各種の方式の記憶媒体である。ＭＩＤＩインターフェース１０６は、外部の各種ＭＩＤＩ機器１０７と接続するためのＭＩＤＩ規格のインターフェースである。通信Ｉ／Ｆ１０８は、通信ネットワーク１０９を介して外部のサーバコンピュータ１１０等と接続するためのインターフェースである。演奏操作子１１２は、ユーザが演奏操作するための鍵盤などの操作子である。演奏操作子１１２の操作は検出回路１１１により検出され、検出結果がＣＰＵ１０１に送られる。設定操作子１１４は、ユーザが操作するためのスイッチ、ボタン、ノブ等の操作子である。設定操作子１１４の操作は検出回路１１３により検出され、検出結果がＣＰＵ１０１に送られる。ディスプレイ１１６は、各種の情報を表示する表示装置である。表示回路１１５は、ＣＰＵ１０１からの指示に基づいて、与えられたデータをディスプレイ１１６に表示する。音源回路１１７は、ＣＰＵ１０１からの指示に基づいて楽音を発生する。効果回路１１８は、音源回路１１７で発生した楽音に各種の効果を付与する。効果回路１１８から出力される楽音はサウンドシステム１１９により放音される。１２０はこれら各部を相互に接続するバスラインである。
【００１１】
図２は、図１の電子楽器の外部パネル（一部）の外観図である。ディスプレイ１１６に相当するＬＣＤ２０１、設定操作子１１４に相当するボタン２０２〜２０５及びノブ２２１〜２２５が、外部パネル２００上に設けられている。カーソル移動ボタン２０２は、ＬＣＤ２０１上に表示されたカーソルを上下左右に移動させるためのボタンである。２０３はＥＮＴＥＲボタン、２０４はＥＸＩＴボタン、２０５はセレクトボタンである。セレクトボタン２０５をオンする毎に、ＬＥＤ２１１〜２１４のうちの１つが巡回して点灯され（他の３つは消灯される）、その右側に記載されている４行×５列の一覧表２３０の中で、点灯されたＬＥＤの行の機能が選択され、それぞれノブ２２１〜２２５に割り当てられる。例えば、セレクトボタン２０５を何回か操作してＬＥＤ２１１が点灯する状態としたときは、ノブ２２１はCutoff、ノブ２２２はResonance、ノブ２２３はFeg Depth、…と割り当てられるので、ノブ２２１を回せばCutoffの値を増減でき、ノブ２２２を回せばResonanceの値を増減でき、…というようにパラメータ値の変更が可能になる。ノブ２２１〜２２５は、ノブ押し操作が可能なものである。
【００１２】
ノブ２２１〜２２５によるパラメータ値の変更を行う際のＬＣＤ２０１への表示について、さらに詳しく説明する。本装置では、表示に関する内部的な情報として、Knob_Display_Timeを所定の記憶領域に記憶している。Knob_Display_Timeは、不図示の操作子のユーザ操作により、HOLD、OFF、又は１〜５秒の何れかの値を設定できる。
【００１３】
（１）Knob_Display_Time＝HOLDが設定されているとき：ノブ２２１〜２２５の何れかを回す又は押すと、回した又は押したノブに割り当てられているパラメータに関するパラメータ設定画面がＬＣＤ２０１にポップアップ表示される。別のノブを回したり押したりすると、その操作されたノブに対応するパラメータ設定画面に切り替わる。ノブ回し操作又はノブ押し操作で表示されたパラメータ設定画面は、（他のパラメータ設定画面が表示される契機となる操作が為されなければ）そのまま表示され続ける。
【００１４】
（２）Knob_Display_Time＝OFFが設定されているとき：ノブ２２１〜２２５の何れかを押すと、押したノブに対応するパラメータ設定画面がＬＣＤ２０１にポップアップ表示される。ただし、ノブ２２１〜２２５の何れかを回しても、ＬＣＤ２０１の表示はその時点で表示されている内容を表示し続けるままであり、回したノブに対応するパラメータ設定画面に切り替わることはない。もちろん、回した操作自体は有効であるので、回したノブに対応するパラメータ値は、その回した量だけ変更される。ノブ押し操作で表示されたパラメータ設定画面は、（他のパラメータ設定画面が表示される契機となる操作が為されなければ）そのまま表示され続ける。
【００１５】
（３）Knob_Display_Time＝１〜５秒が設定されているとき：ノブ２２１〜２２５の何れかを回す又は押すと、回した又は押したノブに割り当てられているパラメータに関するパラメータ設定画面がＬＣＤ２０１にポップアップ表示される。そのノブ回し操作又はノブ押し操作で表示されたパラメータ設定画面は、表示されてからKnob_Display_Timeに設定されている秒数の経過後に消去される。消去される前に別のノブを回したり押したりすると、その操作されたノブに対応するパラメータ設定画面に切り替わるが、そのパラメータ設定画面が表示されてからKnob_Display_Timeに設定されている秒数の経過後に消去されることは同じである。なお、Knob_Display_Timeの秒数は１〜５秒の範囲でユーザが任意に設定できる。
【００１６】
上記（１）〜（３）のどの場合でも、ＬＣＤ２０１にパラメータ設定画面が表示されている状態で該画面に対応するノブを押すと、設定されている現在値が一時退避バッファに待避され、当該パラメータのオリジナルの値が現在値として設定される。また、ＬＣＤ２０１にパラメータ設定画面が表示され、該画面に対応するパラメータの一時退避バッファに値が待避されている状態で該画面に対応するノブを押すと、待避されている値が現在値として設定される。
【００１７】
図３（ａ）は、ＬＥＤ２１４が点灯された状態でノブ２２３を押したときポップアップ表示されるAssign1のパラメータ設定画面である。３０１に示すように、現在のパラメータ設定値が「＋３２」であることが表示され、さらにオリジナルの値が「＋６３」であることが表示されている。図３（ｂ）は、ＬＥＤ２１１が点灯された状態でノブ２２１を押したときにポップアップ表示されるCutoffのパラメータ設定画面である。３０２に示すように、現在のパラメータ設定値が「＋３２」であることが表示され、さらにオリジナルの値が「＋６３」であることが表示されている。図３（ａ）や（ｂ）の表示がされている状態で対応するノブを回すと、回した量に応じて現在値の表示が変更される。また、図３（ａ）や（ｂ）の表示がされている状態で対応するノブを押すと、オリジナルの値が現在値として設定され、再度当該ノブを押すと元の値に戻る。
【００１８】
なお、本実施形態の電子楽器では、不図示の操作子により、モードとして、ボイスモード又はマルチモードを選択できる。ボイスモードとはボイス（音色）を選んで演奏するモードであり、マルチモードとは本機器をマルチ音源として使用するモードである。そのような各モード毎に、楽音生成部分のうちのパラメータ設定をする対象となるモジュール（部分）は変わるが、セレクトボタン２０５とノブ２２１〜２２５で設定するパラメータの意味は各モジュール（部分）同士で共通である。例えば、図３（ａ）は、ボイスモード下で「XX Rack Drum Kit」のパラメータ設定を行っているときに、上述の操作でポップアップ画面３０１が表示されたところを示している。また、図３（ｂ）は、マルチモード下で「Part16:Play Mode Edit」のパラメータ設定を行っているときに、上述の操作でポップアップ画面３０２が表示されたところを示している。従って、ポップアップ表示された画面３０１，３０２の下側には、それぞれ各モード下の設定画面が表示されている。
【００１９】
図４（ａ）は、本実施形態の電子楽器において、ＣＰＵ１０１が実行する処理の全体の手順を示すフローチャートである。電源がオンされると、ステップ４０１で初期設定を行った後、ステップ４０２〜４０９を繰り返す。ステップ４０２では、Knob_Display_Timeの変更を指示するパネル操作を検出し、該操作に応じて、Knob_Display_Timeを、OFF、１〜５秒、又はHOLDの何れかに設定する。ステップ４０３〜４０８については、以降の図面を用いて説明する。ステップ４０９のその他の処理は、例えば演奏操作子１１２の操作を検出して、その操作に応じた楽音を発生する処理などである。
【００２０】
図５（ａ）は、ステップ４０３の設定の読み込み操作の処理のフローである。ステップ５０１で、設定読み込み操作がされたか判定する。設定読み込み操作とは、音源１１７の複数のパラメータを一括して設定することを指示する操作である（該操作を行う操作子は、図２では不図示）。該操作がされていたらステップ５０２〜５０４を実行し、されていなければそのまま終了する。ステップ５０２は、ＬＣＤ２０１に残っているポップアップ表示を消去する処理である。ステップ５０３では、外部記憶装置１０５などに予め記憶されている設定情報の一覧をユーザに提示し、その中から選択させる。設定情報とは、複数のパラメータの値を一括して設定するためのパラメータ値のセットであり、モード別に複数セットが用意されている。ステップ５０４では、選択された設定情報（その時点のモードに応じた設定情報）を読み出し、該設定情報の各パラメータ値を音源回路１１７に一括して設定する。
【００２１】
図５（ｂ）は、ステップ４０４のノブアサイン切り替え操作の処理のフローである。この処理は、セレクトボタン２０５の操作を検出して、ノブ２２１〜２２５に割り当てるパラメータを切り替えるものである。ステップ５２１でセレクトボタン２０５が操作されていればステップ５２２〜５２５の処理を実行し、操作されていなければ終了する。ステップ５２２は、ＬＣＤ２０１に残っているポップアップ表示を消去する処理である。ステップ５２３では、ノブアサインテーブル番号を１つ増やす。ただし４を越えたら１に戻すものとする。ノブアサインテーブル番号は、本装置内部の所定のワーク領域に記憶されている情報で、ノブアサインテーブルの割り当て情報を特定する番号である。ノブアサインテーブル番号は、ステップ４０１の初期設定で１に初期化されるものとする。
【００２２】
図８に、ノブアサインテーブルの構成を示す。ノブアサインテーブルは、上述したノブアサインテーブル番号の値である１〜４のそれぞれに対応するノブとパラメータとの割り当て情報を記憶するテーブルであり、所定の記憶装置に格納されている。ノブアサインテーブル番号１〜４が順に図２で説明したＬＥＤ２１１〜２１４に対応し、ノブアサインテーブルの横方向のKNOB１〜５は順にノブ２２１〜２２５に対応している。従って、例えばノブアサインテーブル番号が１のときは、ＬＥＤ２１１が点灯し、ノブ２２１はCutoffに、ノブ２２２はResonanceに、…と割り当てられる。
【００２３】
図５（ｂ）に戻って、ステップ５２４では、ノブアサインテーブル番号に対応するパラメータをノブ２２１〜２２５に対応付ける。ステップ５２５では、ノブアサインテーブル番号に応じてＬＥＤの点灯／消灯状態を更新する。
【００２４】
図４（ｂ）は、ステップ４０５のノブ押し操作の処理のフローである。ステップ４２１でノブが押されたか判別し、押されていなければそのまま終了する。押されていたら、ステップ４２２で、押されたノブに対応するポップアップ表示（パラメータ設定画面）がされているか判定し、されていなければステップ４２３で新規ポップアップ表示をして終了する。
【００２５】
ここで図７（ｂ）を参照して、ステップ４２３の新規ポップアップ表示の処理の流れを説明する。ステップ７２１で他のポップアップ表示があったらそれを消去し、ステップ７２２で押されたノブに対応するパラメータの現在値を楽音生成部分（音源回路１１７および効果回路１１８、あるいは音源回路１１７および効果回路１１８に設定されているパラメータが所定の記憶手段に記憶されているならその記憶手段）から取得する。ステップ７２３で、押されたノブに対応するパラメータのオリジナルの値を記憶装置から取得する。なお、オリジナルの値は、各パラメータ毎に外部記憶装置１０５（他の記憶手段でもよい）に記憶されているものとする。ステップ７２４，７２５は、押されたノブに対応するパラメータの名称を取得し、該ノブに対応するパラメータ設定画面をポップアップ表示する処理である。このポップアップ表示では、図３で説明したように当該パラメータの現在値とオリジナルの値が表示される。ステップ７２６で、一時退避バッファをクリアし、ステップ７２７で経過時間の計測を開始し、終了する。なお、一時退避バッファは各パラメータ毎に設けられており、単に一時退避バッファというときはその時点で処理対象となっているパラメータに対応する一時退避バッファを指すものとする。
【００２６】
図４（ｂ）に戻って、ステップ４２２で押されたノブに対応するパラメータ設定画面がポップアップ表示されていたら、ステップ４２４で一時退避バッファが空か判定する。空であれば、ステップ４２５で現在値を一時退避バッファに格納し、ステップ４２６でオリジナルの記憶値で現在値を上書きする。空でなければ、ステップ４２７で一時退避バッファの値で現在値を上書きし、ステップ４２８で一時退避バッファをクリアする。ステップ４２６，４２８の後、ステップ４２９で現在値を楽音生成部分に反映させ、ステップ４３０でポップアップ表示を更新し、ステップ４３１で経過時間の計測をリセットして再開始し、終了する。
【００２７】
図７（ａ）は、ステップ４０６のノブ回し操作の処理のフローである。ステップ７０１でノブ２２１〜２２５の何れかが回されたか判定し、回されていなければ終了する。回されていたら、ステップ７０２でそのノブに対応するパラメータの現在値を変更し、ステップ７０３で楽音生成部分に反映させる。ステップ７０４で、回されたノブに対応するポップアップ表示がされているか判定し、されていなければ、ステップ７０５で「Knob_Display_Time」がOFFか判定し、OFFでなければステップ７０６で新規ポップアップ表示をして終了する。OFFであればそのまま終了する。ステップ７０６の処理は図７（ｂ）と同じであるが、「押されたノブ」は「回されたノブ」と読み替えるものとする。ステップ７０４で対応するポップアップ表示がされていたら、ステップ７０７で当該ノブが回された量に応じて現在値の表示を更新し、ステップ７０８で経過時間の計測をリセットして再開始し、ステップ７０９で一時退避バッファをクリアして、終了する。
【００２８】
図６（ａ）は、ステップ４０７の画面遷移及びエラーポップアップ処理のフローである。ステップ６０１で何れかのノブに対応するポップアップ表示がされているか判定し、されていなければ終了する。表示がされていたら、ステップ６０２で何らかのエラーが起きたか判定し、起きていたらステップ６０３でポップアップ表示を消し、ステップ６０４でエラー画面をポップアップ表示し、終了する。エラーとは、例えばＣＰＵが外部記憶装置やＭＩＤＩ  Ｉ／Ｆや通信Ｉ／Ｆから各種データを読み込む際の失敗などであり、パラメータ変更のPopup表示より優先させて警告を表示すべき状態をいう。エラーが起きていなければ、ステップ６０５で画面遷移操作がされたか判定し、されていたらステップ６０６でポップアップ表示を消して、終了する。画面遷移操作がなければ、そのまま終了する。なお、上記の画面遷移操作とは、セレクトボタン２０５やノブ２２１〜２２５の何れかの操作以外で、何らかの画面遷移の契機となる操作のことであり、例えば図３で説明した不図示の操作子によるモード選択などであり、変更対象のパラメータが挿し替わり、それまでのPopup表示が破棄されるべき状態である。その画面遷移操作に応じた実質的な処理は、ステップ４０９のその他の処理の中で行うものとする。
【００２９】
図６（ｂ）は、ステップ４０８の経過時間処理のフローである。ステップ６２１，６２２，６２３で、何れかのノブに対応するポップアップ表示がされており、かつ、「Knob_Display_Time」に１〜５秒の時間が指定されており、かつ、その指定された時間が経過している場合は、ステップ６２４でポップアップ表示を消して終了する。それ以外の場合は、そのまま終了する。
【００３０】
なお、上記実施形態では、電子楽器を例に説明したが、本発明は、ミキサーなどの音響装置などにも適用可能である。また、電子楽器の形態に限らず、パソコン＋アプリケーションソフトウェアの形態でもよい。
【図面の簡単な説明】
【００３１】
【図１】実施形態の電子音楽装置のハードウエア構成を示すブロック図
【図２】実施形態の電子楽器の外部パネル（一部）の外観図
【図３】ＬＣＤにポップアップ表示されるパラメータ設定画面の例
【図４】全体の処理及びノブ押し操作処理のフローチャート
【図５】設定読み込み処理及びノブアサイン切り替え処理のフローチャート
【図６】画面遷移・エラーポップアップ処理及び経過時間処理のフローチャート
【図７】ノブ押し操作処理及び新規ポップアップ処理のフローチャート
【図８】ノブアサインテーブルの構成を示す図
【符号の説明】
【００３２】
１０１…ＣＰＵ、１０２…タイマ、１０３…ＲＯＭ、１０４…ＲＡＭ、１０５…外部記憶装置、１０６…ＭＩＤＩインターフェース、１０７…ＭＩＤＩ機器、１０８…通信Ｉ／Ｆ、１０９…通信ネットワーク、１１２…演奏操作子、１１４…設定操作子、１１６…ディスプレイ、１１７…音源回路、１１８…効果回路、１１９…サウンドシステム、１２０…バスライン、２０１…ＬＣＤ、２０５…セレクトボタン、２１１〜２１４…ＬＥＤ、２２１〜２２５…ノブ、３０１，３０２…ポップアップ表示。
【図１】
0005294139.tif 000002
【図２】
0005294139.tif 000003
【図３】
0005294139.tif 000004
【図４】
0005294139.tif 000005
【図５】
0005294139.tif 000006
【図６】
0005294139.tif 000007
【図７】
0005294139.tif 000008
【図８】
0005294139.tif 000009